(57)【要約】      （修正有）【課題】ダウンショット・リグを簡単に作ることができる釣り用接続具を提供する。【解決手段】下部（先端）に錘を取り付けた糸の中間部にルアー（疑似餌２００）を取り付けたダウンショット・リグに用いる釣り用接続具１００であり、釣り用接続具は、リーダ糸１２０と、リーダ糸の一端に取り付けられた第１取付部１４０と、リーダ糸の他端に取り付けられた第２取付部１６０とを有している。第１および第２取付部は、リーダ糸の端部を折り返して形成したリング，フック，スイベル付きフック，スプリットリング，スナップ，サルカン，または，スナップ付きサルカンであるのが好ましい。【選択図】図１
0003196747.tif 000002
【実用新案登録請求の範囲】
【請求項１】
リーダ糸と、
前記リーダ糸の一端に取り付けられた第１取付部と、
前記リーダ糸の他端に取り付けられた第２取付部と
を有する、
釣り用接続具。
【請求項２】
前記第１取付部は、
前記リーダ糸の端部を折り返して形成したリング，フック，スイベル付きフック，スプリットリング，スナップ，サルカン，または，スナップ付きサルカンであり、
前記第２取付部は、
前記リーダ糸の端部を折り返して形成したリング，フック，スイベル付きフック，スプリットリング，スナップ，サルカン，または，スナップ付きサルカンである、
請求項１に記載された釣り用接続具。
【請求項３】
前記リーダ糸の引張強度は、１５ｋｇ以上である、請求項１または２に記載された釣り用接続具。
【請求項４】
前記リーダ糸は、ナイロン糸、フロロカーボン糸、ポリエチレン糸および金属製のワイヤーのうちから選択される糸である、請求項１から３までの何れか一項に記載された釣り用接続具。
【考案の詳細な説明】
【技術分野】
【０００１】
釣り用接続具に関する。
【背景技術】
【０００２】
ここでは、特に、ダウンショット・リグと称される仕掛けのアンダーシンカを接続するのに適した釣り用接続具を提案する。ダウンショット・リグでは、アンダーシンカは、下部（先端）に錘を取り付けた糸の中間部にルアー（疑似餌）を取り付けた仕掛けであり、底から一定の深さに、ルアーを泳がせることができる。ダウンショット・リグ用のアンダーシンカとしては、例えば、実用新案登録第３０７４９９２号および特開２００１−４５９３６号に提案されている。
【０００３】
実用新案登録第３０７４９９２号は、ハリス止め付き錘が提案されている。特開２００１−４５９３６号にも、同様に、ハリス止め付き錘が提案されている。
【先行技術文献】
【特許文献】
【０００４】
【特許文献１】実用新案登録第３０７４９９２号
【特許文献２】特開２００１−４５９３６号
【考案の概要】
【考案が解決しようとする課題】
【０００５】
ところで、ルアー釣りでは、頻繁に仕掛けを変更することがある。ダウンショット・リグでは、アンカーシンカは、底に接地させられることが多く、底の障害物と干渉する頻度が高い。このため、アンカーシンカを繋ぐ糸は、切れにくく、絡まり難い材質が適切である。また、ダウンショット・リグでは、アンカーシンカを繋ぐ糸の長さによって、疑似餌を泳がせる深さ（棚）を変えることができる。アンカーシンカを繋ぐ糸の長さの変更のために、仕掛けを作り直す必要があった。
【課題を解決するための手段】
【０００６】
本考案に係る釣り用接続具は、リーダ糸と、リーダ糸の一端に取り付けられた第１取付部と、リーダ糸の他端に取り付けられた第２取付部とを有している。
【０００７】
ここで、第１取付部と第２取付部は、例えば、リーダ糸の端部を折り返して形成したリング、フック、または、スイベル付きフックであるとよい。また、リーダ糸の引張強度は、１５ｋｇ以上であってもよく、より好ましくは２０ｋｇ以上であるとよい。また、リーダ糸は、ナイロン糸、フロロカーボン糸、ポリエチレン糸または金属製のワイヤーであってもよい。
【図面の簡単な説明】
【０００８】
【図１】図１は、釣り用接続具１００を示す図である。
【考案を実施するための形態】
【０００９】
以下、本考案に係る釣り用接続具を図面に基づいて説明する。
【００１０】
図１は、釣り用接続具１００を示す図である。
釣り用接続具１００は、リーダ糸１２０と、リーダ糸１２０の一端に取り付けられた第１取付部１４０と、リーダ糸１２０の他端に取り付けられた第２取付部１６０とを有している。
【００１１】
第１取付部１４０は、図１に示す形態では、フックである。
【００１２】
第２取付部１６０は、図１に示す形態では、リーダ糸１２０の端部を折り返して形成したリングである。
【００１３】
第１取付部１４０と、第２取付部１６０は、それぞれ図示例に限らず、フック、スイベル付きフック、スプリットリング、スナップ、サルカンやスナップ付きサルカンなどと称される取付具が取り付けられていてもよいし、リーダ糸１２０の端部を折り返して形成したリングであってもよい。フックは、例えば、金属製の部材であり、図２に示すように、一端が開口した環状の部材で構成するとよい。スイベル付きフックは、フックの一端にスイベルが付いており、当該スイベルを介してフックが回転する構造を具備しているとよい。また、フックは、開口を閉じる構造を備えていてもよい。
【００１４】
また、リーダ糸１２０の引張強度は、例えば、１５ｋｇ以上、より好ましくは２０ｋｇ以上であるとよい。リーダ糸１２０は、ナイロン糸、フロロカーボン糸、ポリエチレン糸、金属製のワイヤーであるとよく、平均太さが、０．５ｍｍ以上、より好ましくは０．８ｍｍ以上、より好ましくは１．０ｍｍ以上であるとよい。また、リーダ糸１２０の長さは、例えば、３ｃｍ以上、３０ｃｍ以下であるとよく、例えば、５ｃｍや、１４ｃｍなど、仕掛けに応じた適当な長さであるとよい。
【００１５】
図１では、リール糸２６０の先端に、サルカン２８０の一端が取り付けられている。サルカン２８０の他端には、スプリットリング２２０が取り付けられており、疑似餌２００のワームフック２１０のアイが接続されている。図１に示す例では、疑似餌２００は、いわゆるソフトワームと称される疑似餌である。この釣り用接続具１００は、図１に示すように、第１取付部１４０が、スプリットリング２２０に取り付けられている。そして、第２取付部１６０にシンカー２４０が取り付けられている。かかる釣り用接続具１００によって、ダウンショット・リグが簡単に作れる。
【００１６】
また、釣り用接続具１００を用いるとシンカー２４０の交換が容易である。また、この実施形態では、リーダ糸１２０は、１５ｋｇ以上であり、引張強度が高い。このため、シンカーが水中の障害物に入り込むような場合でも、リーダ糸１２０が切れ難い。例えば、平均太さが、０．５ｍｍ以上より好ましくは０．８ｍｍ以上、さらに好ましくは１．０ｍｍ以上の太いナイロン糸やフロロカーボン糸やポリエチレン糸や金属製のワイヤーなどであれば、太く張りがあり、水中において、細い糸に比べて撓みが小さく、より直線に近い状態で維持される。このため、水中の障害物に絡みにくく、絡んだとしても外れやすく、いわゆる根掛かりのようなトラブルが激減する。また強度も十分に強いので、リーダ糸１２０が絡んだり、切れたりするトラブルを減らして釣りを楽しむことができる。リーダ糸１２０の長さが異なる釣り用接続具１００を複数持っていると、ダウンショット・リグのリーダの長さを簡単に変えることができる。
【００１７】
以上、本考案の一実施形態に係る釣り用接続具１００を説明したが、本考案は、上記の実施形態に限定されない。
【符号の説明】
【００１８】
１００  釣り用接続具
１２０  リーダ糸
１４０  第１取付部
１６０  第２取付部
２００  疑似餌
２１０  ワームフック
２２０  スプリットリング
２４０  シンカー
２６０  リール糸
２８０  サルカン
【図１】
0003196747.tif 000003